(57)【要約】【課題】車両の前突時において、シートへの着座者の臀部が自由に前方移動しようとすることを阻止するようにした車両用シートに関し、シートの構成を簡単にして、これの生産、組立が容易にできるようにする。【解決手段】車両１の前突時にシートパッド１９の前部を押し上げＡ可能にするパッド押上体２０が、シートパッド１９の前部下面側でそれぞれ車両１の幅方向に長く延びると共に車両１の前後方向で隙間２９を置いて配置される複数本の棒材３０と、前後方向で互いに隣り合う両棒材３０，３０が相対回動するようその各上端部同士を連結する連結材３１とを有する。車両１の前突時に前方移動するシートパッド１９上の着座者７の臀部７ａがシートパッド１９を介しパッド押上体２０の後部側を前方に向けて押動Ｂする一方、パッド押上体２０の前端部の前方移動をシートクッションフレーム１８が阻止するようにした。【選択図】図１
2013166528.tif 000002
【特許請求の範囲】
【請求項１】
車体側に支持されるシートクッションフレームと、このシートクッションフレーム上に支持されるシートパッドと、車両の前突時に上記シートパッドの前部を押し上げ可能にするパッド押上体とを備えた車両用シートにおいて、
上記パッド押上体が、上記シートパッドの前部下面側でそれぞれ車両の幅方向に長く延びると共に車両の前後方向で隙間を置いて配置される複数本の棒材と、前後方向で互いに隣り合う両棒材が相対回動するようその各上端部同士を連結する連結材とを有し、
車両の前突時に前方移動する上記シートパッド上の着座者の臀部が上記シートパッドを介し上記パッド押上体の後部側を前方に向けて押動する一方、このパッド押上体の前端部の前方移動を上記シートクッションフレームが阻止するようにしたことを特徴とする車両用シート。
【発明の詳細な説明】
【技術分野】
【０００１】
本発明は、車両の前突時において、シートへの着座者の臀部が、この着座者の慣性力によって自由に前方移動しようとすることを阻止するようにした車両用シートに関するものである。
【背景技術】
【０００２】
上記車両用シートには、従来、下記特許文献１，２に示されるものがある。これら各公報のものによれば、車両用シートは、車体側に支持されるシートクッションフレームと、このシートクッションフレーム上に支持されるシートパッドと、車両の前突時に上記シートパッドの前部を押し上げ可能にするパッド押上体とを備えている。
【０００３】
ここで、仮に、車両の走行中であって、上記シートへの着座者がシートベルトにより上記シート上に拘束されており、この状態で、車両がその前方の何らかの物体に衝突（前突）したとする。すると、この場合、着座者の臀部は、この着座者の慣性力により前方移動して、この臀部側が上記シートベルトの下側を前方にすり抜けるサブマリン現象が発生しようとする。そして、この現象が発生すると、シート上へのシートベルトによる着座者の拘束が不意に解除されることとなって、着座者の保護が阻害される結果となる。
【０００４】
しかし、前記従来の技術によれば、車両の前突時には、上記シートパッドの前部が上記パッド押上体により押し上げられる。このため、前突時に、上記着座者の臀部が自由に前方移動することは、上記のように押し上げられたシートパッドの前部により阻止されて上記サブマリン現象の発生が防止される。これにより、シート上へのシートベルトによる着座者の拘束が維持されて、着座者が保護されるようになっている。
【先行技術文献】
【特許文献】
【０００５】
【特許文献１】特開２００７−２３８０１６号公報
【特許文献２】特開平７−２５２７８号公報
【発明の概要】
【発明が解決しようとする課題】
【０００６】
ところで、上記特許文献１の車両用シートでは、パッド押上体は、エアバッグ装置で構成されており、このエアバッグ装置は、前突時に、その衝突を検出する衝突センサー、この衝突センサーの検出信号を入力して爆発するインフレータ、およびこのインフレータの燃焼ガスにより瞬間的に膨張して上記シートパッドの前部を押し上げるエアバッグを備えている。このため、この特許文献１のパッド押上体は、各部品自体が複雑であると共に部品点数が多くて、その全体構成が複雑であることから、このパッド押上体を含む車両用シートは、生産、組立が煩雑になると共に、その製造コストが高価になるおそれがある。
【０００７】
一方、上記特許文献２の車両用シートでは、パッド押上体は、リンク機構で構成されており、これは、シートクッションフレームの上面とシートパッドの下面との間に配置され、前後方向に列設されて互いに連結される第１〜第３リンク部材と、上記シートクッションフレームに形成され、前突時に、上記シートパッドの前部を押し上げるよう上記第１〜第３リンクを所定方向に案内するガイドスロープ部とを備えている。このため、この特許文献２のパッド押上体も、部品点数が多くて構成が複雑であることから、このパッド押上体を含む車両用シートも、生産、組立が煩雑になると共に、その製造コストが高価になるおそれがある。
【０００８】
また、上記特許文献２の車両用シートでは、前突時に着座者の臀部が前方移動するとき、この臀部に押動されて上記第１、第２リンクが屈曲し、これにより前記したようにシートパッドの前部が押し上げられるようになっている。
【０００９】
しかし、上記第１、第２リンクには、その屈曲時の高さを所定高さに保持したり、形状を所定形状に保持したりする機能は存在しないことから、前突時の着座者の臀部の前方移動が大きくなると、上記第１、第２リンクは互いに重なり合って前方に倒れてしまうおそれがある。よって、この車両用シートには、着座者を、より確実に保護する上で、改良の余地が残されている。
【課題を解決するための手段】
【００１０】
本発明は、上記のような事情に注目してなされたもので、本発明の目的は、車両の前突時において、シートへの着座者の臀部が、この着座者の慣性力によって自由に前方移動しようとすることを阻止するようにした車両用シートに関し、このシートの構成を簡単にして、これの生産、組立が容易にできるようにすると共に、その製造コストを安価にできるようようにし、かつ、このようにした場合でも、前突時の着座者の保護が、より確実に達成できるようにすることである。
【００１１】
請求項１の発明は、車体２側に支持されるシートクッションフレーム１８と、このシートクッションフレーム１８上に支持されるシートパッド１９と、車両１の前突時に上記シートパッド１９の前部を押し上げＡ可能にするパッド押上体２０とを備えた車両用シートにおいて、
上記パッド押上体２０が、上記シートパッド１９の前部下面側でそれぞれ車両１の幅方向に長く延びると共に車両１の前後方向で隙間２９を置いて配置される複数本の棒材３０と、前後方向で互いに隣り合う両棒材３０，３０が相対回動するようその各上端部同士を連結する連結材３１とを有し、
車両１の前突時に前方移動する上記シートパッド１９上の着座者７の臀部７ａが上記シートパッド１９を介し上記パッド押上体２０の後部側を前方に向けて押動Ｂする一方、このパッド押上体２０の前端部の前方移動を上記シートクッションフレーム１８が阻止するようにしたことを特徴とする車両用シートである。
【００１２】
なお、この項において、上記各用語に付記した符号や図面番号は、本発明の技術的範囲を後述の「実施例」の項や図面の内容に限定解釈するものではない。
【発明の効果】
【００１３】
請求項１の発明による効果は、次の如くである。
【００１４】
即ち、車両の前突時には、着座者の臀部は、この着座者の慣性力により前方移動して、この臀部側が上記シートベルトの下側を前方にすり抜けるサブマリン現象が発生しようとするが、この際、本発明によれば、前方移動する着座者の臀部が上記パッド押上体の後部側を前方に向けて押動する一方、このパッド押上体の前端部の前方移動は上記シートクッションフレームにより阻止される。
【００１５】
このため、上記着座者の臀部によるパッド押上体の後部側の押動により、このパッド押上体の各棒材は上記各隙間を狭めながら前後方向で互いに接近し、かつ、この際、前後方向で互いに隣り合う両棒材は上記各連結材を中心として互いに相対回動させられる。よって、上記パッド押上体はその前後方向の中途部が上方に突出するよう屈曲し、この屈曲部により上記シートパッドの前部が上方に押し上げられる。この結果、前突時に、着座者の臀部が自由に前方移動することは、上記パッド押上体の屈曲部により押し上げられたシートパッドの前部により阻止されて上記サブマリン現象の発生が防止され、シート上へのシートベルトによる着座者の拘束が維持されて、着座者が保護される。
【００１６】
そして、前突時に着座者を保護する上記パッド押上体は、上記したように、隙間を置いて配置される複数本の棒材と連結材とにより構成されたものであって、その構成は簡単である。よって、その分、シートの構成が簡単となって、このシートの生産、組立がより容易にできると共に、その製造コストを安価にすることができる。
【００１７】
しかも、前突時に大きく前方移動した着座者の臀部に押動されてパッド押上体が屈曲し、このパッド押上体の各棒材同士が互いに圧接したときには、このパッド押上体の屈曲部の高さや車体の側面視での形状が予定された高さや形状となって、これを保持することとなり、このため、このパッド押上体の屈曲部は外力に対し強固に精度よく対抗する。よって、前突時に着座者の臀部がそれ以上に自由に前方移動することは、上記パッド押上体の屈曲部により押し上げられたシートパッドの前部によって、より確実に阻止され、前突時の着座者の保護が、より確実に達成される。
【図面の簡単な説明】
【００１８】
【図１】実施例１を示し、車両用シートの側面図である。
【図２】実施例１を示し、図１の部分拡大図である。
【図３】実施例１を示し、車両用シートの斜視図である。
【図４】実施例２を示し、図２に相当する図である。
【発明を実施するための形態】
【００１９】
本発明の車両用シートに関し、車両の前突時において、シートへの着座者の臀部が、この着座者の慣性力によって自由に前方移動しようとすることを阻止するようにした車両用シートであって、このシートの構成を簡単にして、これの生産、組立が容易にできるようにすると共に、その製造コストを安価にできるようようにし、かつ、このようにした場合でも、前突時の着座者の保護が、より確実に達成できるようにする、という目的を実現するため、本発明を実施するための形態は、次の如くである。
【００２０】
即ち、車両用シートは、車体側に支持されるシートクッションフレームと、このシートクッションフレーム上に支持されるシートパッドと、車両の前突時に上記シートパッドの前部を押し上げ可能にするパッド押上体とを備える。
【００２１】
上記パッド押上体は、上記シートパッドの前部下面側でそれぞれ車両の幅方向に長く延びると共に車両の前後方向で隙間を置いて配置される複数本の棒材と、前後方向で互いに隣り合う両棒材が相対回動するようその各上端部同士を連結する連結材とを有する。車両の前突時に前方移動する上記シートパッド上の着座者の臀部が上記シートパッドを介し上記パッド押上体の後部側を前方に向けて押動する一方、このパッド押上体の前端部の前方移動を上記シートクッションフレームが阻止するようにしている。
【実施例１】
【００２２】
本発明をより詳細に説明するために、その実施例１を添付の図１〜３に従って説明する。
【００２３】
図１〜３において、符号１は、自動車で例示される車両である。また、矢印Ｆｒは、この車両１の進行方向の前方を示し、下記する左右とは、車両１の幅方向をいうものとする。
【００２４】
上記車両１の車体２の内部が車室３とされ、上記車体２は、車室３の下面を形成する板金製で剛性のあるフロアパネル４を備えている。上記車室３内に設置され、着座者７が車両１の前方を向いて着座可能なシート８が上記フロアパネル４上に支持されている。
【００２５】
上記シート８は、上記フロアパネル４上に締結具１１により支持されるシートレール装置１２と、このシートレール装置１２上に前後に移動可能かつ前後所望位置で固定可能に支持されるシートクッション１３と、このシートクッション１３の後端部から上方に向かって突設されるシートバック１４と、このシートバック１４を上記シートクッション１３に対し所望回動姿勢で固定させる不図示のリクライニング装置と、図１中一点鎖線で示すように上記シート８上に着座した着座者７を上記シート８上に解除可能に拘束するシートベルト１５とを備えている。
【００２６】
上記シートクッション１３は、上記シートレール装置１２を介してフロアパネル４上に支持され、上記シートクッション１３の骨格部材を構成するシートクッションフレーム１８と、このシートクッションフレーム１８をその上方から全体的に覆ってこのシートクッションフレーム１８に支持され、着座者７を着座可能とさせる弾性的に伸縮自在なシートパッド１９と、車両１の前突時に上記シートパッド１９の前部を押し上げＡ可能にするパッド押上体２０とを備えている。
【００２７】
上記シートクッションフレーム１８は、その前部を構成して車両１の平面視で後方に向かって開くコの字形状をなし、プレス加工された板金製のフレーム本体２２を有している。このフレーム本体２２は、このフレーム本体２２の前端部を構成し、左右に長く延びかつ上下に延びる前部板２２ａと、この前部板２２ａの後方で、左右に離れてそれぞれ前後方向に長く延びかつ上下に延び、その各前端部が上記前部板２２ａの左右各端部に固着される左右一対の側部板２２ｂ，２２ｂとを有している。
【００２８】
また、上記シートクッションフレーム１８は、上記フレーム本体２２の左右側部板２２ｂ，２２ｂの各後端部に溶接され、かつ、これら各後端部からそれぞれ後方に延出する左右側板２３，２３と、これら左右側板２３，２３の各後端部を互いに結合するクロスメンバ２４と、上記左右側板２３，２３の前後方向の各中途部に架設されて張設される前後方向で複数本（３本）のＳ字ばね２５と、上記フレーム本体２２の前部板２２ａの上端縁部から後下方に向かって延びると共に、上記左右側部板２２ｂ，２２ｂを互いに結合する板金製の傾斜板２６とを備えている。
【００２９】
前記パッド押上体２０は、上記シートパッド１９の前部下面側で、上記傾斜板２６の上面に沿ってそれぞれ車両１の幅方向に長く延びると共に、車両１の前後方向でわずかの隙間２９を置いて上記傾斜板２６上に配置される複数本（７本）の棒材３０と、車両１の側面視（図１，２）で、前後方向で互いに隣り合う両棒材３０，３０が相対回動するようその各上端部同士を連結する連結材３１とを有している。
【００３０】
上記各棒材３０は、車両１の側面視（図１，２）で、それぞれ倒立台形状をなして互いに同形同大とされ、前後方向で等間隔に配置されている。また、上記各連結材３１はそれぞれ車両１の幅方向に長く延びる帯板形状をなして互いに同形同大とされ、それぞれ弾性的に屈曲することにより上記両棒材３０，３０同士の相対回動が可能とされている。上記各棒材３０と各連結材３１とはいずれも弾性を有する樹脂製であって、互いに一体的に形成されている。
【００３１】
上記シートパッド１９は、上記シートクッションフレーム１８のフレーム本体２２、左右各側板２３、およびクロスメンバ２４により支持され、かつ、上記各ばね２５により弾性的に支持され、更に、上記パッド押上体２０を介し上記シートクッションフレーム１８の傾斜板２６により支持される。
【００３２】
車両１の通常走行時には、図１中一点鎖線で示すように、着座者７は、その臀部７ａが上記シートパッド１９の後部側に着座した状態で、シートベルト１５によりシート８上に拘束される。この場合、着座者７の臀部７ａは、上記シートパッド１９を介し上記シートクッションフレーム１８のフレーム本体２２、左右各側板２３、およびクロスメンバ２４により支持され、かつ、上記シートパッド１９を介し上記シートクッションフレーム１８の各ばね２５により支持され、更に、上記シートパッド１９とパッド押上体２０とを介し上記シートクッションフレーム１８の傾斜板２６により支持される。また、この際、上記着座者７の臀部７ａは、上記シートパッド１９、各ばね２５、およびパッド押上体２０のそれぞれにより、弾性的に支持される。
【００３３】
ここで、仮に、車両１の走行中であって、図１中一点鎖線で示すように、上記シート８への着座者７がシートベルト１５により上記シート８上に拘束されており、この状態で、車両１がその前方の何らかの物体に衝突（前突）したとする。
【００３４】
すると、この前突時には、着座者７の臀部７ａは、この着座者７の慣性力により前方移動し始める。そして、このように前方移動する上記シートパッド１９上の着座者７の臀部７ａは、図１中二点鎖線で示すように、上記シートパッド１９の前部側を前方に押動して弾性的に伸長変形させる。また、これと同時に、前方移動する着座者７の臀部７ａは、上記シートパッド１９を介し上記パッド押上体２０の後部側を上記傾斜板２６の上面に沿うよう前方に向けて押動Ｂする。一方、上記パッド押上体２０の各棒材３０のうち、前端側の棒材３０は上記シートクッションフレーム１８のフレーム本体２２の前部板２２ａの上端縁部に接着や締結により固着されている。このため、上記パッド押上体２０の前端部の前方移動は、上記シートクッションフレーム１８により阻止される。
【００３５】
このため、車両１の前突時には、着座者７の臀部７ａは、この着座者７の慣性力により前方移動して、この臀部７ａ側が上記シートベルト１５の下側を前方にすり抜けるサブマリン現象が発生しようとするが、この際、上記した着座者７の臀部７ａによるパッド押上体２０の後部側の押動Ｂにより、このパッド押上体２０の各棒材３０は上記各隙間２９を狭めながら前後方向で互いに接近し、かつ、この際、前後方向で互いに隣り合う両棒材３０，３０は上記各連結材３１を中心として互いに相対回動させられる。
【００３６】
よって、上記パッド押上体２０はその前後方向の中途部が上方に突出するよう円弧状に屈曲し、この屈曲部により上記シートパッド１９の前部が上方に押し上げられる。この結果、前突時に、着座者７の臀部７ａが自由に前方移動することは、上記パッド押上体２０の屈曲部により押し上げられたシートパッド１９の前部により阻止されて上記サブマリン現象の発生が防止され、シート８上へのシートベルト１５による着座者７の拘束が維持されて、着座者７が保護される。
【００３７】
そして、前突時に着座者７を保護する上記パッド押上体２０は、上記したように、隙間２９を置いて配置される複数本の棒材３０と連結材３１とにより構成されたものであって、その構成は簡単である。よって、その分、シート８の構成が簡単となって、このシート８の生産、組立がより容易にできると共に、その製造コストを安価にすることができる。
【００３８】
しかも、前突時に大きく前方移動した着座者７の臀部７ａに押動Ｂされてパッド押上体２０が屈曲し、図１，２中二点鎖線で示すように、このパッド押上体２０の各棒材３０同士が互いに圧接したときには、このパッド押上体２０の屈曲部の高さや車体２の側面視での形状が予定された高さや形状となって、これを保持することとなり、このため、このパッド押上体２０の屈曲部は外力に対し強固に精度よく対抗する。よって、前突時に着座者７の臀部７ａがそれ以上に自由に前方移動することは、上記パッド押上体２０の屈曲部により押し上げられたシートパッド１９の前部によって、より確実に阻止され、前突時の着座者７の保護が、より確実に達成される。
【００３９】
また、上記の場合、パッド押上体２０の隙間２９の前後幅寸法や棒材３０の断面形状を適宜選択すれば、上記パッド押上体２０の屈曲部の高さや形状を、所望のものにすることが容易にできて、実用上有益である。
【００４０】
なお、上記パッド押上体２０の前端部の前方移動の阻止は、この前端部を上記シートクッションフレーム１８のフレーム本体２２の前部板２２ａの上端縁部に圧接させたり、係止させたりすることにより達成するようにしてもよい。また、上記パッド押上体２０は、可撓性平板体もしくはシートで形成される連結材３１と、この連結材３１の下面に車体２の前後方向で隙間２９を置いて接着もしくは一体成形される棒材３０とにより形成してもよい。また、上記パッド押上体２０の各棒材３０の断面形状は倒立三角形状であってもよく、矩形や楕円形であってもよい。
【００４１】
以下の図４は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００４２】
本発明をより詳細に説明するために、その実施例２を添付の図４に従って説明する。
【００４３】
図４において、上記パッド押上体２０は、上記シートクッションフレーム１８の傾斜板２６の前上端部側から後方に向かってほぼ水平に延び、上記パッド押上体２０は全体的に上記傾斜板２６から上方に離れて位置している。そして、上記パッド押上体２０は上記シートパッド１９の前部下面に接着剤や縫合などにより接合されている。
【００４４】
上記シートパッド１９は、その前部下面に対し後部下面が一段低く位置するよう形成され、このシートパッド１９の前部下面から後部下面に到る縦向きの段差面３７が上記パッド押上体２０の後端部に当接するよう近接配置されている。
【００４５】
車両１の通常走行時には、図４中一点鎖線で示すように、着座者７は、その臀部７ａが上記シートパッド１９の後部側に着座した状態で、シートベルト１５によりシート８上に拘束される。この場合、着座者７の臀部７ａは、上記シートパッド１９を介し上記シートクッションフレーム１８のフレーム本体２２、各側板２３、およびクロスメンバ２４により支持され、かつ、上記シートパッド１９を介し上記シートクッションフレーム１８の各ばね２５により支持される。また、この際、上記着座者７の臀部７ａは、上記シートパッド１９、各ばね２５、およびパッド押上体２０とにより、より弾性的に支持される。
【００４６】
ここで、車両１の前突時に前方移動する上記シートパッド１９上の着座者７の臀部７ａは、図４中二点鎖線で示すように、上記シートパッド１９の前部側を前方に押動して弾性的に伸長変形させる。また、これと同時に、前方移動する着座者７の臀部７ａは、上記シートパッド１９を介し上記パッド押上体２０の後部側を前方に向けて押動Ｂするが、この際、上記したシートパッド１９の前部側の前方への弾性変形により、このシートパッド１９の前記段差面３７が上記パッド押上体２０の後部側を、より確実に前方に向けて押動Ｂする。
【００４７】
よって、図４中二点鎖線で示すように、上記パッド押上体２０は、その前後方向の中途部が、より確実に上方に突出するよう円弧状に屈曲し、この屈曲部により上記シートパッド１９の前部が、より確実に上方に押し上げられる。
【００４８】
なお、上記パッド押上体２０は上記シートパッド１９の前部下面に接合しないでもよく、この場合、上記パッド押上体２０の前端部を上記シートクッションフレーム１８の側板２３の上端縁部に片持ち支持させてもよい。また、上記傾斜板２６は設けなくてもよい。
【符号の説明】
【００４９】
１    車両
２    車体
３    車室
４    フロアパネル
７    着座者
７ａ  臀部
８    シート
１３  シートクッション
１４  シートバック
１５  シートベルト
１８  シートクッションフレーム
１９  シートパッド
２０  パッド押上体
２２  フレーム本体
２２ａ  前部板
２２ｂ  側部板
２６  傾斜板
２９  隙間
３０  棒材
３１  連結材
３７  段差面
Ａ    押し上げ
Ｂ    押動
【図１】
2013166528.tif 000003
【図２】
2013166528.tif 000004
【図３】
2013166528.tif 000005
【図４】
2013166528.tif 000006